(57)【要約】 【課題】  磁気ユニットを車体下部に配置されたキャスター等の部材と干渉することなく操作でき、車体への配置が容易な路面清掃車の金属片回収装置を提供するものである。【解決手段】  圧送ダクトと吸引ダクトを備えた塵埃回収装置１０の吸引ダクト側の後輪の前方に金属片回収装置１を配置する。金属片回収装置１の磁石収納ケース１７の一端部を傾動手段１９を介して塵埃回収装置１０に設け、他端部を塵埃回収装置１０に保持部３２を介して着脱可能に保持させる。金属片を金属片回収装置１から回収するときには、他端部のハンドル２２を握って磁石収納ケース１７を任意位置に傾動し、その任意位置で磁石ユニット１８を引き出し、金属片を金属片回収装置１から回収する。【選択図】  図６
2006348597.tif 000002
【特許請求の範囲】
【請求項１】
走行面上の塵埃を回収する路面清掃車の車体に、磁石ユニットを収容した磁石収納ケースを設け、走行面上の金属片を磁石ユニットの磁気吸着作用により吸着するようにした路面清掃車の金属片回収装置において、磁石収納ケースの一端部を車体に傾動手段を介して任意方向に傾動可能に設け、他端部を車体に保持部を介して着脱可能に保持させ、磁石収納ケース内に磁石収納ケースの他端から車幅方向外側に引出し可能に磁石ユニットを備え、磁石収納ケースを傾動手段を支点として任意位置に傾動させた状態で磁石ユニットを引出し得るように構成したことを特徴とする路面清掃車の金属片回収装置。
【請求項２】
前輪と後輪の間に、車幅方向の一方側に圧送ダクトを備え他方側に吸引ダクトを備えている塵埃回収装置を配設し、吸引ダクト側の後輪の前方に磁石収納ケースを配置したことを特徴とする請求項１記載の路面清掃車の金属片回収装置。
【請求項３】
磁石収納ケースを塵埃回収装置の吸引ダクト側の後輪側面に設けたことを特徴とする請求項２記載の路面清掃車の金属片回収装置。
【請求項４】
磁石収納ケースの他端部に設けた被保持部材と保持部との間に防振部材を設けたことを特徴とする請求項１から３の何れか１項に記載の路面清掃車の金属片回収装置。
【請求項５】
磁石ユニットの引出し方向と直交方向の両側面にフラップ取付部材を設け、磁石収納ケースを車幅方向に配置したとき、磁石収納ケースの車体後方となる側面に後フラップを着脱可能に設けることを特徴とする請求項１から４の何れか１項に記載の路面清掃車の金属片回収装置。
【発明の詳細な説明】
【技術分野】
【０００１】
この発明は、路面や床面等の走行面上の塵埃をブラシや真空吸引手段等の塵埃回収装置で回収する路面清掃車において、前記走行面上の釘やボルト等の金属片を効果的に回収する金属片回収装置に係るものである。
【背景技術】
【０００２】
このような路面清掃車の金属片回収装置として、特許文献１に記載のものがある。これは、路面清掃車の後輪の直前に金属片回収装置を配置し、金属片回収装置により釘やボルト等の金属片を走行面上から磁気吸着により回収して、金属片が後輪を破裂させることを防止するようにしたものである。磁気吸着により回収した金属片は、金属片回収装置の磁石ユニットを車幅方向に横スライドさせて引出すことでしごき板により磁石ユニットの移動に伴う金属片の移動を阻止し、金属片を集積させて落下させ、適宜回収されるようになっている。
【０００３】
また、特許文献２に記載のものがある。これは、無人搬送車の前後に磁石収納ケースと、この内部に上下方向にスライド可能に収納された磁石と、磁石を引上げる取っ手とからなる金属片回収装置を設けて、金属片が車輪に刺さることを防止するようにしたものである。磁石の磁気吸着により回収した金属片は、取っ手により磁石を引上げることで磁力が及ばなくなり落下し、適宜回収されるようになっている。
【０００４】
【特許文献１】特開平１１−１１７２４８号公報
【特許文献２】特開平３−１０７００６号公報
【発明の開示】
【発明が解決しようとする課題】
【０００５】
上記の特許文献１に記載の金属片回収装置では、磁石ユニットを車幅方向に横スライドのみさせて引出すように構成されているので、図１に示すようなキャスターを備えた塵埃回収装置と後輪との間に金属片回収装置を設けた場合、塵埃回収装置のキャスターに磁石ユニットが干渉して磁石ユニットを引出せない問題があった。また、特許文献２に記載の金属片回収装置では、磁石ユニットを引上げるように構成されているので、路面清掃車の車体下部に設けた場合、車体と走行面間高さに制限があり、磁石ユニットの磁力は走行面上の金属片を磁気吸着するために強力であるので、磁気吸着した金属片を回収する際に十分な磁石ユニットの引上げ距離を取ることができない恐れがあり金属片回収装置の設置が困難な問題や、車体と金属片回収装置間の高さの制限や吸引ダクト等の部材により取っ手による磁石ユニットの引上げ操作が行いづらい問題があった。
この発明は、磁石ユニットを操作して磁気吸着された金属片を回収するとき、磁気ユニットを車体下部に配置されたキャスター等の部材と干渉することなく操作でき、車体への配置が容易な路面清掃車の金属片回収装置を提供するものである。
【課題を解決するための手段】
【０００６】
本発明は、走行面上の塵埃を回収する路面清掃車の車体に、磁石ユニットを収容した磁石収納ケースを設け、走行面上の金属片を磁石ユニットの磁気吸着作用により吸着するようにした路面清掃車の金属片回収装置において、磁石収納ケースの一端部を車体に傾動手段を介して任意方向に傾動可能に設け、他端部を車体に保持部を介して着脱可能に保持させ、磁石収納ケース内に磁石収納ケースの他端から車幅方向外側に引出し可能に磁石ユニットを備え、磁石収納ケースを傾動手段を支点として任意位置に傾動させた状態で磁石ユニットを引出し得るように構成したことを特徴とする。
【０００７】
また、本発明は、前輪と後輪の間に、車幅方向の一方側に圧送ダクトを備え他方側に吸引ダクトを備えている塵埃回収装置を配設し、吸引ダクト側の後輪の前方に磁石収納ケースを配置したことを特徴とする。
【０００８】
また、前記磁石収納ケースを塵埃回収装置の吸引ダクト側の後輪側面に設けたことを特徴とする。
【０００９】
また、本発明は、磁石収納ケースの他端部に設けた被保持部材と保持部との間に防振部材を設けたことを特徴とする。
【００１０】
また、本発明は、磁石ユニットの引出し方向と直交方向の両側面にフラップ取付部材を設け、磁石収納ケースを車幅方向に配置したとき、磁石収納ケースの車体後方となる側面に後フラップを着脱可能に設けることを特徴とする。
【発明の効果】
【００１１】
本願発明によれば、金属片回収装置の磁石収納ケースを傾動手段を支点として任意位置に傾動可能としたので、磁石収納ケースを適宜な位置に傾動できるので、金属片回収装置の配置の制限が緩和され、磁石収納ケースを適宜な位置に傾動することで塵埃回収装置のキャスターや後輪等の車体下方に備えられた部材と干渉することなく磁石ユニットを迅速に引出すことができる。
【００１２】
また、金属片が最も集まり易い塵埃回収装置の吸引ダクト側の後輪の前方に磁石収納ケースを配置したので、好ましくは磁石収納ケースを塵埃回収装置の吸引ダクト側の後輪側面に設けたことで、最も金属片により破裂しやすい後輪の走行面上の金属片を磁気吸着により効率よく回収でき、金属片による後輪の破裂防止の効果が高くなる。
【００１３】
また、磁石収納ケースの他端部に設けた被保持部材と保持部との間に防振部材を設けたので、塵埃回収装置と磁気収納ケース間のがたつきが防止できる。
【００１４】
磁石ユニットの引出し方向と直交方向の両側面にフラップ取付部材を設け、磁石収納ケースを車幅方向に配置したとき、磁石収納ケースの車体後方となる側面に後フラップを着脱可能に設けるようにしたので、吸引ダクトが左右どちら側に設けられていても、吸引ダクトに対応して同一の磁石収納ケースを車体の左右の何れの側にも配置することができ、コストを低くできる。
【発明を実施するための最良の形態】
【００１５】
本願発明の実施形態について図１〜図６により説明する。図１は、本願発明の金属片回収装置１を備えた路面清掃車２の概略を示すものである。路面清掃車２は従来周知の構成であり、図１、図２に示すように、前後輪３，４の間に、側ブラシ５を備えると共に、側ブラシ５と後輪４との間に、吸塵フード本体６の車幅方向の一方側に図示しないブロワからの圧空を供給する圧送ダクト７を備え他方側にホッパ８に接続された吸引ダクト９を備えた空気循環式の塵埃回収装置１０を備えており、側ブラシ５で走行面Ｒの塵埃を車幅方向内方に向けて掃き集めた後、ブロワからの吐出空気流を圧送ダクト７を介して吸塵フード本体６に供給して走行面Ｒ上の塵埃を空気流により吹き上げて塵埃回収装置１０により塵埃を回収し、その塵埃を吸引ダクト９を介して車体１１上のホッパ８に回収するものである。
【００１６】
塵埃回収装置１０の吸塵フード本体６の後側カバー１３には、車幅方向両外側にキャスター（補助車輪）１４が設けられていると共に、吸引ダクト９側に車幅方向内側のブラケット１５と車幅方向外側のブラケット１６とにより金属片回収装置１が備えられている。この金属片回収装置１は、後輪４の走行する走行軌跡の前方の走行面上に磁気吸着により金属片を回収するように配置されている。金属片回収装置１は、図３に示すように、磁石収納ケース１７と、磁石収納ケース１７に収納されている磁石ユニット１８とから構成されている。磁石収納ケース１７はステンレススチールや樹脂等の非磁性材料からなり、図３に示すように、磁石ユニット１８を磁石収納ケース１７の長手方向他端部の開口１７ｄから引出し可能に収納する箱状に形成されており、磁石収納ケース１７の長手方向と磁石ユニットの引出し方向とが一致している。磁石収納ケース１７は、その上面１７ａの長手方向の一端部に設けられた傾動手段としてのボールリンク１９によりブラケット１５に取付けられており、ブラケット１５に対して任意方向に傾動可能となっている。磁石収納ケース１７の上面１７ａの長手方向の他端部には、ゴムからなる防振部材２０により外周が覆われた棒状の被保持部材２１が設けられており、被保持部材２１は磁石収納ケース１７の他端部より長手方向に突出している。また、上面１７ａの他端部には、金属片回収装置１をボールリンク１９を支点として傾動操作する際に作業者が掴むためのハンドル２２と、バー部材をＵ字形状に屈曲形成した抜け止め用ピン２３が挿通されるケース側ピン挿通部材２４とが設けられている。
【００１７】
磁石収納ケース１７は、その長手方向即ち磁石ユニット１８の引出し方向と直交方向の両側面１７ｂ，１７ｃにゴム製の後フラップ２５を着脱可能に取付けるためのフラップ取付部材２６が複数設けられており、塵埃回収装置１０の吸引ダクト９側に金属片回収装置１を磁石ユニット１８を車幅方向の中央から外側に向けて引出せるように取付けたときに車体１１後方となる側面のフラップ取付部材２６に後フラップ２５が取付けられる。また、磁石収納ケース１７は、下面の長手方向の他端部に設けられた側フラップ取付プレート２７にゴム製の側フラップ２８が取付けられている。
【００１８】
磁石ユニット１８は、図示しない永久磁石が内装されている。磁石ユニット１８は引出し用取っ手２９と抜け止め用ピン２３の先端部分が係合する磁石ユニット側ピン挿通部材３０が設けられている。これら抜け止め用ピン２３とケース側ピン挿通部材２４と磁石ユニット側ピン挿通部材３０とにより磁石ユニット１８の磁石収納ケース１７からの抜け落ちを防止するロック機構３１が構成されおり、抜け止め用ピン２３をケース側ピン挿通部材２４と磁石ユニット側ピン挿通部材３０とに挿通して磁石ユニット１８を磁石収納ケース１７に固定している。
【００１９】
前記ブラケット１６には、図５、図６に示すように、金属片回収装置１の被保持部材２１を保持する保持部３２が備えられている。保持部３２は、ブラケット１６に一体形成された固定保持部材３３と、ブラケット１６に対して回動軸３４により回動可能に枢支された回動保持部材３５と、固定保持部材３３に回動保持部材３５を固定する係脱装置３６とから構成されている。固定保持部材３３と回動保持部材３５とは被保持部材２１を挟み込む凹部３３ａ，３５ａが形成されており、また、固定保持部材３３には、係脱装置３６の引掛け部材３６ａが設けられており、回動保持部材３３には、係脱装置３６の係止部３６ｂが設けられており、引掛け部材３６ａを係止部３６ｂに係止して固定保持部材３３に回動保持部材３５を固定するようになっている。保持部３２は被保持部材２１を保持するとき、防振部材２０を介して挟持するので、ブラケット１６と磁石収納ケース１７間にがたつきなく固定することになる。
【００２０】
路面清掃車２により走行面Ｒ上を清掃するとき、磁石収納ケース１７は、被保持部材２１が保持部３２により保持されブラケット１５，１６に固定されている。路面清掃車２が清掃を開始すると側ブラシ５によって掃き集められた塵埃が塵埃回収装置１０により回収される。このとき塵埃は吸引ダクト９側に引寄せられ、塵埃回収装置１０により吸引回収できない金属片が走行面Ｒ上に残される。この残された金属片は磁石ユニット１８によって磁気吸着されて金属片回収装置１に回収される。金属片回収装置１に適宜の量の金属片が回収されると、作業者により係脱装置３６が解除され、保持部３２による磁石収納ケース１７の固定が解除される。作業者はハンドル２２を握って磁石収納ケース１７を磁石ユニット１８を引出し可能な任意位置に、即ち図１に示すように金属片回収位置Ａから塵埃回収装置１０と後輪４と車体１１とで形成される間隙の金属片除去位置Ｂに傾動する。この金属片除去位置Ｂでは磁石ユニット１８を引出したときに、磁石ユニット１８と干渉するものがないので磁石ユニット１８を車幅方向外側に引出すことができる。金属片除去位置Ｂで抜け止め用ピン２３がケース側ピン挿通部材２４と磁石ユニット側ピン挿通部材３０とから引抜かれ、磁石収納ケース１７と磁石ユニット１８の固定が解除される。そして、磁石ユニット１８が車幅方向外側に引出されると金属片は、側フラップ２８及び側フラップ取付プレート２７とにより移動が阻止されて集積し、磁気ユニット１８の磁力が及ばなくなると磁石収納ケース１７の下面から落下し、金属片回収装置１から除去され、適宜な方法で回収される。
【図面の簡単な説明】
【００２１】
【図１】本願発明の金属片回収装置を備えた路面清掃車の説明図である。
【図２】塵埃回収装置及び金属片回収装置を示す斜視図である。
【図３】磁石収納ケースから磁石ユニットを引出した金属片回収装置の斜視図である。
【図４】金属片回収装置の平面図である。
【図５】金属片回収位置での金属片回収装置の斜視図である。
【図６】金属片回収装置を傾動した状態の斜視図である。
【符号の説明】
【００２２】
１  金属片回収装置
２  路面清掃車
３  前輪
４  後輪
７  圧送ダクト
９  吸引ダクト
１１  車体
１７  磁石収納ケース
１７ｂ，１７ｃ  側面
１８  磁石ユニット
１９  傾動手段（ボールリンク）
２０  防振部材
２１  被保持部材
２５  後フラップ
２６  フラップ取付部材
３２  保持部
Ｒ  走行面
【図１】
2006348597.tif 000003
【図２】
2006348597.tif 000004
【図３】
2006348597.tif 000005
【図４】
2006348597.tif 000006
【図５】
2006348597.tif 000007
【図６】
2006348597.tif 000008